(57)【特許請求の範囲】
【請求項１】
クッションベースを含み、前記クッションベースの左右両端には回転可能な脚部挟み板が対称的に設置され、前記脚部挟み板の間には医療空間が設置され、患者の脚部を前記医療空間の中に置いて治療を受けられ、前記脚部挟み板において前記医療空間に近接する側壁には固定ブロックが固定的に設置され、前記固定ブロックの間には伸縮ベルトが設置され、前記伸縮ベルトは固定リングとフックにより前記固定ブロックと連結され、患者の脚部を前記医療空間の中に固定でき、前記固定ブロックの下端には脚部緩衝ブロックが固定的に設置され、前記脚部緩衝ブロックは患者の脚部に緩衝作用を果たせ、
前記クッションベースの中にはクッション制御空間が設置され、前記クッション制御空間の中にはクッション緩衝機構が設置され、前記クッション緩衝機構は患者の脚部に支持作用を果たせ、前記クッションベースの左右両端には回転機構が対称的に設置され、前記回転機構は前記脚部挟み板の回転角度を調節できて前記脚部挟み板に患者の脚部をきつく挟ませることができ、
前記クッションベースの下端には支持ベースが設置され、前記支持ベースの中には昇降空間が左右対称に設置され、前記昇降空間の中には上下スライド可能な昇降棒が設置され、前記昇降棒の表面にはラックが設置され、前記昇降棒の上端と前記クッションベースの下端とが固定的に連結され、前記昇降空間の間にはモーター空間が設置され、前記モーター空間の中にはメインモーターが設置され、前記メインモーターには第一伝動軸が伝動可能に連結され、前記第一伝動軸には第一プーリが固定的に設置され、前記昇降空間の中には昇降伝動機構が設置され、前記昇降伝動機構の中には回転可能な第二プーリが設置され、前記第一プーリと前記第二プーリとがベルトにより連結され、前記昇降伝動機構の中には回転可能な昇降歯車が設置され、前記昇降歯車と前記昇降棒とが噛み合い、前記昇降歯車が回転する時、前記昇降歯車は前記昇降棒を上下にスライド連動させ、そして前記クッションベースの高さを調整できることを特徴とする医用脚部固定器械。
【請求項２】
前記回転機構は前記クッションベースの中に左右対称且つ回転可能に設置された旋転軸を含み、前記旋転軸の前後両端には旋転歯車が固定的に設置され、前記脚部挟み板の中には環状歯面が設置され、前記旋転歯車が前記脚部挟み板と噛み合い、前記旋転軸の前端には手動クランクリンクが固定的に設置され、前記手動クランクリンクの中には手動クランク軸が設置され、前記手動クランク軸には手動クランクが固定的に設置され、前記手動クランクを揺らす時、前記手動クランクは前記手動クランク軸と、前記手動クランクリンクと、前記旋転軸により前記旋転歯車を回転連動させ、前記旋転歯車がさらに前記脚部挟み板を回転連動させることを特徴とする請求項１に記載の医用脚部固定器械。
【請求項３】
前記クッション緩衝機構は前記クッションベースの中に固定的に設置された空気タンクを含み、前記空気タンクの中には不活性気体が貯蔵され、前記空気タンクの上端には排気パイプが前記空気タンクと連通するように設置され、前記排気パイプの上端にはクッションが前記排気パイプと連通するように設置され、前記クッションの中には不活性気体が貯蔵され、前記空気タンクの左端には吸気パイプが前記空気タンクと連通するように設置され、前記吸気パイプの上端には空気ポンプが前記吸気パイプと連通するように設置され、前記空気ポンプの上端には空気出しパイプが設置され、前記空気出しパイプの上端と前記クッションとが連通していることを特徴とする請求項２に記載の医用脚部固定器械。
【請求項４】
前記クッション制御空間の右壁には超小型モーターが設置され、前記超小型モーターの左端には動力軸が伝動可能に連結され、前記動力軸の左端には右摩擦盤が設置され、前記クッション制御空間の中には回転可能な横向き伝動軸が設置され、前記横向き伝動軸の外端には中空軸がカバーするように設置され、前記中空軸がスプラインにより前記横向き伝動軸と連結され、前記中空軸の右端には左摩擦盤が固定的に設置され、前記中空軸の下端には磁石がスライド可能に連結され、前記磁石の右端にはばねが連結され、前記ばねの右端には電磁石が連結され、前記電磁石の底端が前記クッション制御空間の下壁と固定的に連結され、前記左摩擦盤と前記右摩擦盤とが摩擦により連結されていることを特徴とする請求項３に記載の医用脚部固定器械。
【請求項５】
前記横向き伝動軸の左端には第一伝動歯車が固定的に設置され、前記第一伝動歯車の左端には第二伝動歯車が固定的に設置され、前記第二伝動歯車の軸心には連結軸が固定的に設置され、前記連結軸が前記クッション制御空間の下壁に回転可能に設置され、前記連結軸の頂端には第三伝動歯車が固定的に設置され、前記第三伝動歯車の上端には第四伝動歯車が噛み合い、前記第四伝動歯車の軸心には定位軸が固定的に設置され、前記定位軸には制御板歯車が固定的に設置され、前記制御板歯車が前記第四伝動歯車の後端に位置し、前記制御板歯車の上端には制御板が噛み合い、前記制御板歯車が回転する時、前記制御板を左右にスライドさせ、さらに前記排気パイプの開閉を制御できることを特徴とする請求項４に記載の医用脚部固定器械。
【請求項６】
前記昇降伝動機構は前記昇降空間の中に回転可能に設置された第二伝動軸を含み、前記第二伝動軸の左右両端には第一傘歯車が対称的に設置され、前記第一傘歯車において前記第二プーリから離れた一端には第二傘歯車が噛み合い、前記第二傘歯車の軸心には第三伝動軸が固定的に設置され、前記第三伝動軸には前記昇降歯車が固定的に設置され、前記昇降歯車が前記第二傘歯車の後端に位置していることを特徴とする請求項５に記載の医用脚部固定器械。
【発明の詳細な説明】
【技術分野】
【０００１】
本願発明は医用器械分野に関わり、具体的には医用脚部固定器械である。
【背景技術】
【０００２】
脚部が骨折することはよく見られる外傷性疾患であり、患者が治療を受ける過程に、患者の脚部を固定することは医者に要求され、そして骨の位置を合わすように調整し、治療過程に、患者の脚部を相対静止状態に保ち、こうして手術効果をよくし、治療効果も高くなり、しかし、個人的な苦痛などの原因で、患者の脚部はずっと静的よい状態を保持できないため、治療に大いに影響し、治療の難易度を高くすると同時に治療効果を下げ、従い、患者の脚部を固定するための医用の脚部固定器械が必要となり、伝統的な固定装置は使用が複雑で、患者に対する保護措置が足りなく、患者の苦痛感を軽減できなく、さらに患者の脚部位置を便利に調整できなく、そのため、患者の苦痛感を抑えられ、また患者の脚部位置をすぐに調整できる医用脚部固定器械により、上記の問題を解決する。
【先行技術文献】
【特許文献】
【０００３】
【特許文献１】中国特許出願公開第１０４７２１０１４号明細書
【発明の概要】
【発明が解決しようとする課題】
【０００４】
技術問題：
伝統的な固定装置は使用が複雑で、患者に対する保護措置が足りなく、患者の苦痛感を軽減できなく、さらに患者の脚部位置を便利に調整できない。
【課題を解決するための手段】
【０００５】
上記の問題を解決するため、本願発明は医用脚部固定器械を設計する。医用脚部固定器械は、クッションベースを含み、前記クッションベースの左右両端には回転可能な脚部挟み板が対称的に設置され、前記脚部挟み板の間には医療空間が設置され、患者の脚部を前記医療空間の中に置いて治療を受けられ、前記脚部挟み板において前記医療空間に近接する側壁には固定ブロックが固定的に設置され、前記固定ブロックの間には伸縮ベルトが設置され、前記伸縮ベルトは固定リングとフックにより前記固定ブロックと連結され、患者の脚部を前記医療空間の中に固定でき、前記固定ブロックの下端には脚部緩衝ブロックが固定的に設置され、前記脚部緩衝ブロックは患者の脚部に緩衝作用を果たせ、前記クッションベースの中にはクッション制御空間が設置され、前記クッション制御空間の中にはクッション緩衝機構が設置され、前記クッション緩衝機構は患者の脚部に支持作用を果たせ、前記クッションベースの左右両端には回転機構が対称的に設置され、前記回転機構は前記脚部挟み板の回転角度を調節できて前記脚部挟み板に患者の脚部をきつく挟ませることができ、前記クッションベースの下端には支持ベースが設置され、前記支持ベースの中には昇降空間が左右対称に設置され、前記昇降空間の中には上下スライド可能な昇降棒が設置され、前記昇降棒の表面にはラックが設置され、前記昇降棒の上端と前記クッションベースの下端とが固定的に連結され、前記昇降空間の間にはモーター空間が設置され、前記モーター空間の中にはメインモーターが設置され、前記メインモーターには第一伝動軸が伝動可能に連結され、前記第一伝動軸には第一プーリが固定的に設置され、前記昇降空間の中には昇降伝動機構が設置され、前記昇降伝動機構の中には回転可能な第二プーリが設置され、前記第一プーリと前記第二プーリとがベルトにより連結され、前記昇降伝動機構の中には回転可能な昇降歯車が設置され、前記昇降歯車と前記昇降棒とが噛み合い、前記昇降歯車が回転する時、前記昇降歯車は前記昇降棒を上下にスライド連動させ、そして前記クッションベースの高さを調整できる。
【０００６】
前記回転機構は前記クッションベースの中に左右対称且つ回転可能に設置された旋転軸を含み、前記旋転軸の前後両端には旋転歯車が固定的に設置され、前記脚部挟み板の中には環状歯面が設置され、前記旋転歯車が前記脚部挟み板と噛み合い、前記旋転軸の前端には手動クランクリンクが固定的に設置され、前記手動クランクリンクの中には手動クランク軸が設置され、前記手動クランク軸には手動クランクが固定的に設置され、前記手動クランクを揺らす時、前記手動クランクは前記手動クランク軸と、前記手動クランクリンクと、前記旋転軸により前記旋転歯車を回転連動させ、前記旋転歯車がさらに前記脚部挟み板を回転連動させる。
【０００７】
前記クッション緩衝機構は前記クッションベースの中に固定的に設置された空気タンクを含み、前記空気タンクの中には不活性気体が貯蔵され、前記空気タンクの上端には排気パイプが前記空気タンクと連通するように設置され、前記排気パイプの上端にはクッションが前記排気パイプと連通するように設置され、前記クッションの中には不活性気体が貯蔵され、前記空気タンクの左端には吸気パイプが前記空気タンクと連通するように設置され、前記吸気パイプの上端には空気ポンプが前記吸気パイプと連通するように設置され、前記空気ポンプの上端には空気出しパイプが設置され、前記空気出しパイプの上端と前記クッションとが連通している。
【０００８】
有益なように、前記クッション制御空間の右壁には超小型モーターが設置され、前記超小型モーターの左端には動力軸が伝動可能に連結され、前記動力軸の左端には右摩擦盤が設置され、前記クッション制御空間の中には回転可能な横向き伝動軸が設置され、前記横向き伝動軸の外端には中空軸がカバーするように設置され、前記中空軸がスプラインにより前記横向き伝動軸と連結され、前記中空軸の右端には左摩擦盤が固定的に設置され、前記中空軸の下端には磁石がスライド可能に連結され、前記磁石の右端にはばねが連結され、前記ばねの右端には電磁石が連結され、前記電磁石の底端が前記クッション制御空間の下壁と固定的に連結され、前記左摩擦盤と前記右摩擦盤とが摩擦により連結されている。
【０００９】
有益なように、前記横向き伝動軸の左端には第一伝動歯車が固定的に設置され、前記第一伝動歯車の左端には第二伝動歯車が固定的に設置され、前記第二伝動歯車の軸心には連結軸が固定的に設置され、前記連結軸が前記クッション制御空間の下壁に回転可能に設置され、前記連結軸の頂端には第三伝動歯車が固定的に設置され、前記第三伝動歯車の上端には第四伝動歯車が噛み合い、前記第四伝動歯車の軸心には定位軸が固定的に設置され、前記定位軸には制御板歯車が固定的に設置され、前記制御板歯車が前記第四伝動歯車の後端に位置し、前記制御板歯車の上端には制御板が噛み合い、前記制御板歯車が回転する時、前記制御板を左右にスライドさせ、さらに前記排気パイプの開閉を制御できる。
【００１０】
前記昇降伝動機構は前記昇降空間の中に回転可能に設置された第二伝動軸を含み、前記第二伝動軸の左右両端には第一傘歯車が対称的に設置され、前記第一傘歯車において前記第二プーリから離れた一端には第二傘歯車が噛み合い、前記第二傘歯車の軸心には第三伝動軸が固定的に設置され、前記第三伝動軸には前記昇降歯車が固定的に設置され、前記昇降歯車が前記第二傘歯車の後端に位置している。
【発明の効果】
【００１１】
本願発明の効果は：本願発明は構成が簡単で、メンテナンスと使用が便利である。本願発明は内蔵された挟み板及びクッション装置により、患者の脚部を固定し、患者の脚部を有効に保護でき、患者が治療を受ける時の苦痛感を軽減でき、同時に医者が患者の脚部位置を調整することに便利を与え、医者の手術負担を軽減し、医療効果を大いに高める。
【図面の簡単な説明】
【００１２】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１３】
【図１】図１は本願発明の全体構成概略図
【図２】図２は図１の「Ａ―Ａ」構成の拡大概略図
【図３】図３は図１の「Ｂ」構成の拡大概略図
【図４】図４は図３の「Ｃ」構成の拡大概略図
【発明を実施するための形態】
【００１４】
本願発明は医用脚部固定器械であり、主に医用器械分野に用いられ、下記に本願発明の附図に合わせて更なる説明を行う。
【００１５】
本願発明に記載の医用脚部固定器械は、クッションベース２４を含み、前記クッションベース２４の左右両端には回転可能な脚部挟み板１１が対称的に設置され、前記脚部挟み板１１の間には医療空間１００が設置され、患者の脚部を前記医療空間１００の中に置いて治療を受けられ、前記脚部挟み板１１において前記医療空間１００に近接する側壁には固定ブロック１５が固定的に設置され、前記固定ブロック１５の間には伸縮ベルト１３が設置され、前記伸縮ベルト１３は固定リング１２とフック１４により前記固定ブロック１５と連結され、患者の脚部を前記医療空間１００の中に固定できし、前記固定ブロック１５の下端には脚部緩衝ブロック１６が固定的に設置され、前記脚部緩衝ブロック１６は患者の脚部に緩衝作用を果たせ、前記クッションベース２４の中にはクッション制御空間４００が設置され、前記クッション制御空間４００の中にはクッション緩衝機構２０１が設置され、前記クッション緩衝機構２０１は患者の脚部に支持作用を果たせ、前記クッションベース２４の左右両端には回転機構１０１が対称的に設置され、前記回転機構１０１は前記脚部挟み板１１の回転角度を調節できて前記脚部挟み板１１に患者の脚部をきつく挟ませることができ、前記クッションベース２４の下端には支持ベース２６が設置され、前記支持ベース２６の中には昇降空間２００が左右対称に設置され、前記昇降空間２００の中には上下スライド可能な昇降棒２５が設置され、前記昇降棒２５の表面にはラックが設置され、前記昇降棒２５の上端と前記クッションベース２４の下端とが固定的に連結され、前記昇降空間２００の間にはモーター空間３００が設置され、前記モーター空間３００の中にはメインモーター３６が設置され、前記メインモーター３６には第一伝動軸３５が伝動可能に連結され、前記第一伝動軸３５には第一プーリ３４が固定的に設置され、前記昇降空間２００の中には昇降伝動機構３０１が設置され、前記昇降伝動機構３０１の中には回転可能な第二プーリ３２が設置され、前記第一プーリ３４と前記第二プーリ３２とがベルト３３により連結され、前記昇降伝動機構３０１の中には回転可能な昇降歯車６６が設置され、前記昇降歯車６６と前記昇降棒２５とが噛み合い、前記昇降歯車６６が回転する時、前記昇降歯車６６は前記昇降棒２５を上下にスライド連動させ、そして前記クッションベース２４の高さを調整できる。
【００１６】
前記回転機構１０１は前記クッションベース２４の中に左右対称且つ回転可能に設置された旋転軸１９を含み、前記旋転軸１９の前後両端には旋転歯車１８が固定的に設置され、前記脚部挟み板１１の中には環状歯面が設置され、前記旋転歯車１８が前記脚部挟み板１１と噛み合い、前記旋転軸１９の前端には手動クランクリンク２１が固定的に設置され、前記手動クランクリンク２１の中には手動クランク軸２２が設置され、前記手動クランク軸２２には手動クランク２３が固定的に設置され、前記手動クランク２３を揺らす時、前記手動クランク２３は前記手動クランク軸２２と、前記手動クランクリンク２１と、前記旋転軸１９により前記旋転歯車１８を回転連動させ、前記旋転歯車１８がさらに前記脚部挟み板１１を回転連動させる。
【００１７】
前記クッション緩衝機構２０１は前記クッションベース２４の中に固定的に設置された空気タンク４３を含み、前記空気タンク４３の中には不活性気体が貯蔵され、前記空気タンク４３の上端には排気パイプ４１が前記空気タンク４３と連通するように設置され、前記排気パイプ４１の上端にはクッション１７が前記排気パイプ４１と連通するように設置され、前記クッション１７の中には不活性気体が貯蔵され、前記空気タンク４３の左端サタンには吸気パイプ３８が前記空気タンク４３と連通するように設置され、前記吸気パイプ３８の上端には空気ポンプ３７が前記吸気パイプ３８と連通するように設置され、前記空気ポンプ３７の上端には空気出しパイプ３９が設置され、前記空気出しパイプ３９の上端と前記クッション１７とが連通している。
【００１８】
有益なように、前記クッション制御空間４００の右壁には超小型モーター４２が設置され、前記超小型モーター４２の左端には動力軸４４が伝動可能に連結され、前記動力軸４４の左端には右摩擦盤４５が設置され、前記クッション制御空間４００の中には回転可能な横向き伝動軸４８が設置され、前記横向き伝動軸４８の外端には中空軸４７がカバーするように設置され、前記中空軸４７がスプラインにより前記横向き伝動軸４８と連結され、前記中空軸４７の右端には左摩擦盤４６が固定的に設置され、前記中空軸４７の下端には磁石４９がスライド可能に連結され、前記磁石４９の右端にはばね５１が連結され、前記ばね５１の右端には電磁石５２が連結され、前記電磁石５２の底端が前記クッション制御空間４００の下壁と固定的に連結され、前記左摩擦盤４６と前記右摩擦盤４５とが摩擦により連結されている。
【００１９】
有益なように、前記横向き伝動軸４８の左端には第一伝動歯車５５が固定的に設置され、前記第一伝動歯車５５の左端には第二伝動歯車５４が固定的に設置され、前記第二伝動歯車５４の軸心には連結軸５３が固定的に設置され、前記連結軸５３が前記クッション制御空間４００の下壁に回転可能に設置され、前記連結軸５３の頂端には第三伝動歯車５７が固定的に設置され、前記第三伝動歯車５７の上端には第四伝動歯車５８が噛み合い、前記第四伝動歯車５８の軸心には定位軸５９が固定的に設置され、前記定位軸５９には制御板歯車６１が固定的に設置され、前記制御板歯車６１が前記第四伝動歯車５８の後端に位置し、前記制御板歯車６１の上端には制御板６２が噛み合い、前記制御板歯車６１が回転する時、前記制御板６２を左右にスライドさせ、さらに前記排気パイプ４１の開閉を制御できる。
【００２０】
前記昇降伝動機構３０１は前記昇降空間２００の中に回転可能に設置された第二伝動軸３１を含み、前記第二伝動軸３１の左右両端には第一傘歯車２９が対称的に設置され、前記第一傘歯車２９において前記第二プーリ３２から離れた一端には第二傘歯車２７が噛み合い、前記第二傘歯車２７の軸心には第三伝動軸２８が固定的に設置され、前記第三伝動軸２８には前記昇降歯車６６が固定的に設置され、前記昇降歯車６６が前記第二傘歯車２７の後端に位置している。
【００２１】
以下、附図１〜４を参照し、本願発明の使用手順を詳しく説明する：。初期状態に、メインモーター３６が作動しなく、超小型モーター４２が作動しなく、脚部挟み板１１が上昇していなく、フック１４と固定ブロック１５とが離れており、クッション１７の中に気体がなく、昇降棒２５が上昇していなく、制御板６２がクッション制御空間４００の中に収められている。
【００２２】
治療を始める時、超小型モーター４２を始動し、超小型モーター４２が動力軸４４を回転連動させ、動力軸４４が右摩擦盤４５を回転連動させ、この時、電磁石５２に通電し、電磁石５２が磁石４９を反発して右方にスライドさせることにより、磁石４９が中空軸４７と左摩擦盤４６を右方にスライドさせ、左摩擦盤４６を右摩擦盤４５と摩擦により連結し、そして動力軸４４が中空軸４７を回転連動させ、中空軸４７が横向き伝動軸４８を回転連動させ、横向き伝動軸４８が第一伝動歯車５５と第二伝動歯車５４により連結軸５３を回転連動させ、連結軸５３が第三伝動歯車５７と第四伝動歯車５８により定位軸５９を回転連動させ、定位軸５９が制御板歯車６１を回転連動させ、制御板歯車６１が制御板６２を左方にスライドさせ、さらに制御板６２により排気パイプ４１を閉じ、その後、超小型モーター４２を止め、空気ポンプ３７を始動し、空気ポンプ３７が空気タンク４３内部の気体を吸気パイプ３８と空気出しパイプ３９を介してクッション１７の中に吸い上げることにより、クッション１７は膨張し、そして空気ポンプ３７を止め、患者の脚をクッション１７に置き、また手動で手動クランク２３を揺らし、手動クランク２３は手動クランク軸２２と、手動クランクリンク２１と、旋転軸１９により旋転歯車１８を回転連動させ、旋転歯車１８がさらに脚部挟み板１１を回転連動させ、脚部挟み板１１が患者の脚部をきつく挟み、その後、伸縮ベルト１３を引っ張り、またフック１４を右側に位置する固定ブロック１５の中に引っ掛け、患者の脚部を医療空間１００の中に固定し、この時、メインモーター３６を始動し、メインモーター３６が第一伝動軸じく３５を回転連動させ、第一伝動軸３５が第一プーリ３４と、ベルト３３と、第二プーリ３２により第二伝動軸３１を回転連動させ、第二伝動軸３１が第一傘歯車２９と第二傘歯車２７により第三伝動軸２８を回転連動させ、第三伝動軸２８が昇降歯車６６を回転連動させ、昇降歯車６６がさらに昇降棒２５を上昇させられ、ここで医者が患者の脚部の高さを調節することを助ける。
【００２３】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】
【課題】本発明は医用脚部固定器械を開示した。
【解決手段】
クッションベースを含み、前記クッションベースの左右両端には回転可能な脚部挟み板が対称的に設置され、前記脚部挟み板の間には医療空間が設置され、患者の脚部を前記医療空間の中に置いて治療を受けられ、前記脚部挟み板において前記医療空間に近接する側壁には固定ブロックが固定的に設置され、前記固定ブロックの間には伸縮ベルトが設置され、本願発明は内蔵された挟み板及びクッション装置により、患者の脚部を固定し、患者の脚部を有効に保護でき、患者が治療を受ける時の苦痛感を軽減でき、同時に医者が患者の脚部位置を調整することに便利を与え、医者の手術負担を軽減し、医療効果を大いに高める。
【選択図】図１【図１】
0006807511.tif 000002
【図２】
0006807511.tif 000003
【図３】
0006807511.tif 000004
【図４】
0006807511.tif 000005